(57)【要約】【課題】乗物用テーブルを展開収納する構成を利用して使用位置の調整を行えるようにする機構を少ない部品点数で構成すること。【解決手段】テーブル移動装置１０Ｍは、テーブル本体１１を支持台４に対して高さ方向にスライドさせられるようにして支持台４に形成された凹部４Ａの内外に移動させられるようにする上下スライド機構１０Ｍ１と、テーブル本体１１を上下スライド機構１０Ｍ１のスライド部材１３に対して前後方向を軸方向とする回転軸１４まわりに起倒回転させられるようにする回転機構１０Ｍ２とを有する。回転機構１０Ｍ２によりテーブル本体１１が支持台４の凹部４Ａ内に収納可能な起立位置と物載せとして使用可能な水平姿勢の使用位置との間で回転できるようになっている。テーブル本体１１が回転軸１４に対して軸方向にスライド可能な状態とされていることで、テーブル本体１１の使用位置を調整可能な調整機構１０Ｍ３が構成されている。【選択図】図１６
2016000544.tif 000002
【特許請求の範囲】
【請求項１】
乗物用テーブルであって、
物載せとなるテーブル本体と、
該テーブル本体を乗物用シートの横隣に設けられた支持台に対して動かせる状態に連結するテーブル移動装置と、を有し、
前記テーブル移動装置は、
前記テーブル本体を前記支持台に対して高さ方向にスライドさせられる状態に連結し、前記テーブル本体を前記支持台に形成された凹部の内外にスライドさせられるようにする上下スライド機構と、
前記テーブル本体を前記上下スライド機構の高さ方向にスライドするスライド部材に対して前後方向を軸方向とする回転軸まわりに起倒回転させられる状態に連結し、前記テーブル本体を前記凹部内に収納可能な起立位置と物載せとして使用可能な水平位置との間で回転させられるようにする回転機構と、を有し、
前記テーブル本体或いは前記スライド部材が前記回転軸に対して軸方向にスライド可能な状態に連結されていることにより、前記テーブル本体を前記水平位置に展開した状態で前後方向に位置調整することのできる調整機構が構成されていることを特徴とする乗物用テーブル。
【請求項２】
請求項１に記載の乗物用テーブルであって、
前記凹部が前記支持台のシート幅方向の内側の壁部に形成されて前記テーブル本体をシート幅方向にテーブル面を向けさせて露出させた状態にして収納する構成となっていることを特徴とする乗物用テーブル。
【請求項３】
請求項１又は請求項２に記載の乗物用テーブルであって、
前記回転機構による前記テーブル本体の前記水平位置への倒れ込み回転は、前記テーブル本体と一体的に回転する部材に設けられた張出し片が前記スライド部材に設けられたストッパ片に当たることで係止されると共に、前記張出し片が前記支持台に形成された係止溝内に入り込むことにより落下移動が規制された状態に保持されるようになっており、前記調整機構による前記テーブル本体の前後方向の位置調整移動は、前記張出し片が前記ストッパ片及び前記係止溝に対して前後方向に摺動できるようになっていることにより前記テーブル本体が水平姿勢に保たれて行われるようになっていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、シートの横隣に設置されたアームレストの支持台に対して、テーブルが展開・収納可能に設けられた技術が知られている（特許文献１）。上記テーブルは、支持台の内部にシート幅方向に面を向けて収納された状態から、面内方向の回転により上方側に起こし上げられた後、着座乗員の前部に倒し込まれて展開される構成とされている。更に、上記テーブルは、上記着座乗員の前部に倒し込まれた展開状態から、その使用位置を前後方向に押引して調整することができるようになっている。
【先行技術文献】
【特許文献】
【０００３】
【特許文献１】特開平３−５００３７号公報
【発明の概要】
【発明が解決しようとする課題】
【０００４】
しかし、上記従来技術では、テーブルを展開収納するための機構と使用位置を調整するための機構とによって構成全体が煩雑となっている。本発明は、上述した問題を解決するものとして創案されたものであって、本発明が解決しようとする課題は、乗物用テーブルを展開収納する構成を利用して使用位置の調整を行えるようにする機構を少ない部品点数で構成することにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体を乗物用シートの横隣に設けられた支持台に対して動かせる状態に連結するテーブル移動装置と、を有する。テーブル移動装置は、上下スライド機構と、回転機構と、を有する。上下スライド機構は、テーブル本体を支持台に対して高さ方向にスライドさせられる状態に連結し、テーブル本体を支持台に形成された凹部の内外にスライドさせられるようにする。回転機構は、テーブル本体を上下スライド機構の高さ方向にスライドするスライド部材に対して前後方向を軸方向とする回転軸まわりに起倒回転させられる状態に連結し、テーブル本体を凹部内に収納可能な起立位置と物載せとして使用可能な水平位置との間で回転させられるようにする。テーブル本体或いはスライド部材が回転軸に対して軸方向にスライド可能な状態に連結されていることにより、テーブル本体を水平位置に展開した状態で前後方向に位置調整することのできる調整機構が構成されている。
【０００７】
この第１の発明によれば、回転機構の構成の一部を前後スライド可能な構成とすることにより、回転機構の構成を用いてテーブル本体の前後位置を調整可能な調整機構を構成することができる。このように、乗物用テーブルを展開収納する構成を利用して、テーブル本体の使用位置の調整を行えるようにする機構を少ない部品点数で構成することができる。
【０００８】
第２の発明は、上述した第１の発明において次の構成とされているものである。すなわち、凹部が支持台のシート幅方向の内側の壁部に形成されてテーブル本体をシート幅方向にテーブル面を向けさせて露出させた状態にして収納する構成となっている。
【０００９】
この第２の発明によれば、テーブル本体を支持台の両壁部の間に収める構成とならなくなるため、テーブルを支持台に対して嵩張らせない状態に収納することができる。
【００１０】
第３の発明は、上述した第１又は第２の発明において次の構成とされているものである。すなわち、回転機構によるテーブル本体の水平位置への倒れ込み回転は、テーブル本体と一体的に回転する部材に設けられた張出し片がスライド部材に設けられたストッパ片に当たることで係止されると共に、張出し片が支持台に形成された係止溝内に入り込むことにより落下移動が規制された状態に保持されるようになっている。調整機構によるテーブル本体の前後方向の位置調整移動は、張出し片がストッパ片及び係止溝に対して前後方向に摺動できるようになっていることによりテーブル本体が水平姿勢に保たれて行われるようになっている。
【００１１】
この第３の発明によれば、テーブル本体を水平姿勢に保った状態で前後方向に位置調整させられるようにする機構を簡単に構成することができる。
【図面の簡単な説明】
【００１２】
【図１】実施例１のテーブルの概略構成を示す斜視図である。
【図２】テーブル本体が収納された状態を示す斜視図である。
【図３】テーブル本体が収納位置から引き出された状態を示す斜視図である。
【図４】テーブル本体が使用位置に倒し込まれた状態を示す斜視図である。
【図５】テーブル本体が広げられた状態を示す斜視図である。
【図６】テーブル本体が前方側に位置調整された状態を示す斜視図である。
【図７】テーブル本体が収納された状態を示す正面図である。
【図８】同側面図である。
【図９】テーブル本体の収納状態を示す要部拡大図である。
【図１０】図９のX-X線断面図である。
【図１１】図９のXI-XI線断面図である。
【図１２】図９のXII-XII線断面図である。
【図１３】図９のXIII-XIII線断面図である。
【図１４】図９のXIV-XIV線断面図である。
【図１５】テーブル本体が使用位置に展開された状態の要部拡大図である。
【図１６】同平面図である。
【図１７】図１６のXVII-XVII線断面図である。
【図１８】図１６のXVIII-XVIII線断面図である。
【発明を実施するための形態】
【００１３】
以下に、本発明を実施するための形態について、図面を用いて説明する。
【実施例１】
【００１４】
始めに、実施例１のテーブル１０の構成について、図１〜図１８を用いて説明する。本実施例のテーブル１０は、図１〜図２に示すように、自動車のシート１に着座した乗員に供されるものとなっている。ここで、上記シート１は、着座乗員の背凭れとなるシートバック２と、着座部となるシートクッション３と、を有する構成となっている。上記シート１は、シートクッション３がその左右両側部に立設された立壁状の支持台４によってフロア上に左右両側から支持された構成となっている。上記各支持台４は、その上面部が平面状のアームレスト５となっており、着座乗員が肘掛けとして快適に利用することができるようになっている。
【００１５】
上述したテーブル１０は、物載せとなるテーブル本体１１と、テーブル本体１１を着座乗員から見て左側（図示向かって右側）の支持台４に対して展開・収納させられる状態に連結するテーブル移動装置１０Ｍと、を有する構成となっている。上記テーブル移動装置１０Ｍは、テーブル本体１１を支持台４に対して高さ方向にスライドさせられる状態に連結する上下スライド機構１０Ｍ１（図３参照）と、テーブル本体１１を上述した上下スライド機構１０Ｍ１のスライド部材１３に対してシート幅方向に起倒回転させられる状態に連結する回転機構１０Ｍ２（図４参照）と、上述したテーブル本体１１を水平姿勢の使用位置に展開した状態において前後方向に位置調整させられるようにする調整機構１０Ｍ３（図６参照）と、を有する。
【００１６】
上述した上下スライド機構１０Ｍ１は、図３に示すように、テーブル本体１１に連結されたスライド部材１３を、支持台４に対して高さ方向にスライドさせられる状態に連結して、テーブル本体１１を支持台４に形成された凹部４Ａの内外に高さ方向に出し入れさせられるようにする構成となっている。また、回転機構１０Ｍ２は、図４に示すように、上述したテーブル本体１１を上述した上下スライド機構１０Ｍ１のスライド部材１３に対して、前後方向を軸方向とする回転軸１４により連結して、テーブル本体１１をスライド部材１３がスライドする凹部４Ａの直上方向に真っ直ぐに起立させた姿勢位置と、物載せとして使用可能となる水平姿勢まで倒し込んだ使用位置と、の間で起倒回転させられるようにする構成となっている。また、調整機構１０Ｍ３は、図６に示すように、上述したテーブル本体１１を上述した回転機構１０Ｍ２の回転軸１４に対して軸方向（前後方向）にスライドさせられる状態に連結することで、テーブル本体１１を水平姿勢の使用位置に展開させた状態で回転軸１４に沿って前後方向に位置調整させられるようにする構成となっている。
【００１７】
上述したテーブル本体１１は、図５に示すように、互いに２つ折り可能にヒンジ連結された第１テーブル板１１Ａ及び第２テーブル板１１Ｂと、第１テーブル板１１Ａの裏面部全体を被覆する樹脂製のカバー部材１１Ｃ（図２参照）と、を有する構成となっている。図２に示すように、上述したカバー部材１１Ｃは、テーブル本体１１が支持台４の凹部４Ａ内に収納された状態では、テーブル本体１１をシート内側から被覆した状態となる構成となっており、その上端側の領域部には、部分的に形状を凹ませた取っ手１１Ｃ１が形成されている（図２参照）。上記取っ手１１Ｃ１は、着座乗員がテーブル本体１１の展開・収納の各操作を行う際に指を掛け入れて各操作を行えるようにする操作部として機能するものとなっている。
【００１８】
上記テーブル本体１１は、上述した支持台４に対して展開・収納される各操作時には、それぞれ、第２テーブル板１１Ｂが第１テーブル板１１Ａのテーブル面上に折り畳まれたコンパクトな状態で展開・収納されるようになっている。そして、上記テーブル本体１１は、図５に示すように、着座乗員の前部に水平姿勢の状態に展開されることにより、第２テーブル板１１Ｂを第１テーブル板１１Ａの横に開いてテーブル面を横に広げて使用することができるようになっている。なお、上述したテーブル本体１１を水平姿勢の使用位置に展開させた時の各部の状態は、図１５〜図１８において詳しく示されている。
【００１９】
また、上述したテーブル本体１１は、上述した使用位置に展開された状態から、次のように支持台４に形成された凹部４Ａ内に収納されるようになっている。先ず、図５〜図６にて前述したように、テーブル本体１１が横に広げられていたり前方側に使用位置を調整されていたりする場合には、テーブル本体１１を２つ折りにした状態に戻すと共に、最後部側のスライド位置に戻す。そしてそこから、テーブル本体１１を図４に示すように回転軸１４を中心にシート外側に跳ね上げて上方側に起立させた状態にする。
【００２０】
更にそこから、テーブル本体１１を図３に示すように上下スライド機構１０Ｍ１の動きに従って支持台４の凹部４Ａ内に落とし込んでいく。これにより、図２及び図７〜図８に示すように、テーブル本体１１が、支持台４の凹部４Ａ内にシート幅方向にテーブル面を向けた状態に収納された状態となる。上記テーブル１０は、上記のようにテーブル本体１１が支持台４の凹部４Ａ内にシート幅方向にテーブル面を向けた状態に収納されるようになっていることにより、支持台４をシート幅方向に嵩張らせることなくテーブル本体１１を収まり良く収納することができるようになっている。
【００２１】
具体的には、上記テーブル本体１１は、上述した支持台４の凹部４Ａ内に収納されることにより、そのシート内側を向く側面（カバー部材１１Ｃのシート内側の側面）が、支持台４のシート内側の側壁面と略面一状の側壁面を成して外部に露出した状態として、支持台４の立壁形状からシート内側に出っ張らない形に収められるようになっている。このような構成となっていることにより、テーブル１０は、支持台４に形成された凹部４Ａの凹み形状を、テーブル本体１１の収納によって外部に露出させない状態に充填することができると共に、凹部４Ａ内に収納したテーブル本体１１のシート内側の側面によって支持台４のシート内側の側壁面を兼ねさせて見栄えの良い連続感のある形にすることができるようになっている。
【００２２】
上述した支持台４は、図２〜図３に示すように、そのシート内側の側壁部に、上述したテーブル本体１１を上方側から落とし込んで収納することの可能な凹部４Ａが形成された構成となっている。上記凹部４Ａは、支持台４のシート内側とシート上側とにそれぞれ開口した形に形成されている。上記凹部４Ａは、支持台４のシートクッション３の着座面より低い領域まで下方側に延びた形となっており、テーブル本体１１をシートクッション３の着座面よりも低い領域まで深く落とし込んで収納することができるようになっている。
【００２３】
上述した凹部４Ａの前後箇所には、それぞれ、凹部４Ａの内周壁面の形に沿って高さ方向に延びる上下レール４Ｂが設けられている。これら上下レール４Ｂは、上述した上下スライド機構１０Ｍ１を構成するスライド部材１３を、高さ方向にのみスライドさせられる状態となるようにガイドする構成となっている。各上下レール４Ｂには、図９〜図１０に示すように、スライド部材１３の前後側の各端部に形成された各嵌合部１３Ａを、それぞれ高さ方向にのみスライドさせられる状態となるように嵌合させる横断面Ｌ字形状に刳り貫かれたレール溝４Ｂ１が形成されている。
【００２４】
また、各上下レール４Ｂには、図９〜図１１に示すように、上述した支持台４のシート内側の側壁面と面一状に、凹部４Ａ内に向かって前後方向に張り出す張出し面部４Ｂ２が形成されている。これら張出し面部４Ｂ２は、上述した各上下レール４Ｂ間の凹部４Ａ内領域に収納されたテーブル本体１１（図９〜図１０参照）のシート内側の側面（カバー部材１１Ｃのシート内側の側面）にあてがわれるように張り出して、テーブル本体１１のシート内側への移動を規制するように機能するものとなっている。
【００２５】
ここで、上述したテーブル本体１１の第１テーブル板１１Ａを裏面側から被覆するカバー部材１１Ｃは、図２及び図９に示すように、テーブル本体１１が支持台４の凹部４Ａ内に収納された状態時には、上述した各上下レール４Ｂのシート内側の側面と面一状の面を成して、これら上下レール４Ｂと共に支持台４のシート内側の側壁面を形成するようになっている（図７、図１１、図１２及び図１４参照）。上述したカバー部材１１Ｃは、詳しくは、図９、図１２及び図１４に示すように、その前後側の各縁部が、それぞれ、各上下レール４Ｂの張出し面部４Ｂ２にシート外側からあてがわれる形となるように部分的に凹んだ断面形状に形成されている。これにより、カバー部材１１Ｃは、上述した各上下レール４Ｂと互いのシート内側の側面が面一状となる形に形成されていても、各上下レール４Ｂの張出し面部４Ｂ２によってシート内側からあてがわれた状態とされるようになっている。
【００２６】
上述した各張出し面部４Ｂ２は、各上下レール４Ｂの上端部領域には形成されておらず、これら上端部領域には、テーブル本体１１のシート内側への移動（倒し込み）を許容する開口部４Ｃが形成されている（図９及び図１２参照）。また、図９に示すように、上述した各上下レール４Ｂの上端部には、上述した各レール溝４Ｂ１の上端に蓋をする形に延びる天板面４Ｂ４が形成されている。これら天板面４Ｂ４は、上述した各上下レール４Ｂのレール溝４Ｂ１内をスライドするスライド部材１３の上方側への移動を規制する規制面として機能するものとなっている。上記各天板面４Ｂ４は、上述したテーブル本体１１を凹部４Ａ内から引き上げる際の移動や凹部４Ａ内へ落とし込む際の移動を阻害しない程度に凹部４Ａ内に向かって張り出した形状となっている。
【００２７】
上述したスライド部材１３は、図９〜図１０に示すように、前後方向に長尺な部材によって構成されている。上記スライド部材１３は、その前後側の各端部に形成された横断面Ｌ字形状の各嵌合部１３Ａが、それぞれ、上述した支持台４の凹部４Ａ内に臨む前後側の各上下レール４Ｂに形成された各レール溝４Ｂ１内に嵌め込まれた状態とされている。これにより、スライド部材１３は、上述した各上下レール４Ｂに対して、それぞれ高さ方向にのみスライド可能となるように嵌合した状態に組み付けられた状態とされている。
【００２８】
上述したスライド部材１３には、図９及び図１３に示すように、その上述した各上下レール４Ｂに嵌め込まれた各嵌合部１３Ａ間に跨る架橋部１３Ｂに、シート幅方向に貫通した矩形状のスリット１３Ｂ１が形成されている。上記スリット１３Ｂ１は、前後方向に長尺状に延びる形に開口した形状とされている。上記スリット１３Ｂ１は、図１３及び図１７に示すように、上述したテーブル本体１１が起立姿勢の状態から水平姿勢の状態に倒し込まれる際に、テーブル本体１１の第１テーブル板１１Ａから下方側に向かって延びる張出し片１１Ａ１を、その開口内に受け入れるように機能するものとなっている。
【００２９】
また、上記スリット１３Ｂ１によって枠状に刳り貫かれた架橋部１３Ｂの上側の枠片は、上述したテーブル本体１１が水平姿勢の使用位置まで倒し込まれることで、上記スリット１３Ｂ１の開口内に受け入れられた張出し片１１Ａ１を下方側から当接させて回転止めするストッパ片１３Ｃとして構成されている。上記ストッパ片１３Ｃは、図９〜図１０に示すように、上述した各上下レール４Ｂ間の前後方向の配置間領域の広い範囲に亘って前後方向に真っ直ぐに延びる形に形成されている。これにより、上記ストッパ片１３Ｃは、図１及び図１７に示すように、テーブル本体１１を上記水平姿勢の状態に倒して張出し片１１Ａ１を下方側から当接させた状態とすることで、張出し片１１Ａ１をその下面に沿って前後方向に摺動させられるようにガイドして、テーブル本体１１を水平姿勢に保ったまま回転軸１４に沿って前後方向にスライドさせられるようにするようになっている（図１６参照）。
【００３０】
ここで、図７及び図１７に示すように、上述した支持台４の凹部４Ａ内のシート幅方向の内側に面を向ける内側面部には、その上端側領域に、前後方向に筋状に延びる形に窪んだ係止溝４Ａ１が形成されている。上記係止溝４Ａ１は、上述したテーブル本体１１を凹部４Ａ内から上方側に引き上げた後にシート内側に向けて水平姿勢の状態に倒し込むことにより、上述したテーブル本体１１に形成された張出し片１１Ａ１をその内部に受け入れる受入溝として機能するものとなっている。上記係止溝４Ａ１は、上記テーブル本体１１の倒し込みによって張出し片１１Ａ１がその内部に受け入れられることにより、テーブル本体１１の水平姿勢に展開された状態からの落下移動を、張出し片１１Ａを下方側からあてがえて支持することによって係止させるようになっている。
【００３１】
より具体的に説明すると、上述したテーブル本体１１は、上述した張出し片１１Ａ１が支持台４の凹部４Ａの内側面部に形成された係止溝４Ａ１とほぼ並ぶ位置まで凹部４Ａ内から引き上げられることによって、その水平姿勢への倒し込みにより、張出し片１１Ａ１が係止溝４Ａ１内に入り込むようになっている。上記テーブル本体１１は、上述した水平姿勢への倒し込みによって、上述した張出し片１１Ａ１がスライド部材１３のストッパ片１３Ｃに下方側から当たって水平姿勢の使用位置に係止されるようになっている。したがって、上記テーブル本体１１の倒し込みによって、張出し片１１Ａ１がスライド部材１３のストッパ片１３Ｃに下方側から当接すると共に支持台４の凹部４Ａの内側面部に形成された係止溝４Ａ１内に入り込んだ状態となる。これにより、テーブル本体１１は、上記張出し片１１Ａ１が係止溝４Ａ１の底面に当接する位置までは僅かに落下するものの、それ以上の落下移動が規制された状態として、係止溝４Ａ１に係止された状態となる。
【００３２】
すなわち、上述したテーブル本体１１は、前述したスライド部材１３に対しては、回転軸１４まわりの回転でしか高さ方向に移動できないように連結された状態とされている。また、スライド部材１３は、支持台４に対しては、高さ方向にしか移動できないように連結された状態とされている。したがって、上述したテーブル本体１１の水平姿勢への倒し込みによって、張出し片１１Ａ１がスライド部材１３のストッパ片１３Ｃに下方側から当たってテーブル本体１１の一方向（倒し込み方向）の回転が規制された状態となると共に、張出し片１１Ａ１が支持台４の凹部４Ａの内側面部に形成された係止溝４Ａ１の底面にも上方側から当たってテーブル本体１１の他方向（起こし上げ方向）の回転も規制された状態となることで、テーブル本体１１が支持台４に対してその自重作用によって水平姿勢の状態に保持されると共にその落下移動も規制された状態に保持されるようになる。
【００３３】
上述したテーブル本体１１は、上述した水平姿勢に倒し込まれた状態から、テーブル本体１１を横方向に起こし上げるように操作するのみで、簡単に、凹部４Ａの直上方向に真っ直ぐに起立した姿勢状態に戻されるようになっている。具体的には、上記テーブル本体１１を水平姿勢に倒し込まれた状態から横方向に起こし上げるように操作すると、上述した張出し片１１Ａ１が上述した係止溝４Ａ１の底面との接触点を支点に起こし上げられるように操作されて、テーブル本体１１が上記起立姿勢に起こし上げられていく。この起こし上げにより、張出し片１１Ａ１が係止溝４Ａ１の外側に抜けて、テーブル本体１１の直下方向に真っ直ぐに張り出した状態となる（図１３参照）。
【００３４】
ところで、図１７において上述した係止溝４Ａ１も、上述したスライド部材１３に形成されたスリット１３Ｂ１（ストッパ片１３Ｃ）と同様に、上述した前後側の各上下レール４Ｂ間の配置間領域の広い範囲に亘って前後方向に真っ直ぐに延びる形に形成されている。これにより、上記係止溝４Ａ１も、テーブル本体１１を水平姿勢の状態に倒して張出し片１１Ａ１を上方側から当接させた状態とすることで、テーブル本体１１を上述した回転軸１４に沿って前後方向にスライドさせる動きに合わせて、張出し片１１Ａ１を係止溝４Ａ１の底面に沿って前後方向に摺動させられるようにガイドすることができるようになっている。
【００３５】
このように、上述したテーブル本体１１を凹部４Ａの上方側に引き上げた後にシート内側へ倒し込むことにより、上述したスライド部材１３のスリット１３Ｂ１と支持台４の凹部４Ａの内側面に形成された係止溝４Ａ１とにそれぞれテーブル本体１１から延びる張出し片１１Ａ１を入り込ませて、同張出し片１１Ａ１を上記スリット１３Ｂ１の上面（ストッパ片１３Ｃの下面）と係止溝４Ａ１の底面との間に高さ方向に押し挟んだ状態として、テーブル本体１１を高さ方向にバタつかせない状態に押さえ込むことができるようになっている。そして、上記スライド部材１３のスリット１３Ｂ１の上面（ストッパ片１３Ｃの下面）と係止溝４Ａ１の底面とがそれぞれ前後方向に面一状に真っ直ぐに延びる形に形成されていることにより、上記テーブル本体１１の張出し片１１Ａ１を高さ方向に押し挟んだ状態のまま、テーブル本体１１を回転軸１４に沿って前後方向に真っ直ぐにスライドさせることができるようになっている（調整機構１０Ｍ３）。
【００３６】
ここで、上述したテーブル本体１１は、図９〜図１０に示すように、上述した第１テーブル板１１Ａの端部から延びる張出し片１１Ａ１が、上述したスライド部材１３に結合された回転軸１４に対して、回転可能かつ軸方向にスライド可能に連結された状態とされている。上述した張出し片１１Ａ１は、テーブル本体１１が支持台４の凹部４Ａ内に収納された状態で見た時に、第１テーブル板１１Ａの下端側の後端部領域から下方側に部分的に張り出した形となって形成されている。
【００３７】
このような構成となっていることにより、テーブル本体１１は、図４に示すように、上述した回転軸１４を中心に、凹部４Ａの直上方向に真っ直ぐに起立した姿勢位置と、同姿勢位置からシート内側に水平角度まで倒し込まれた姿勢位置と、の間で起倒回転することができるようになっている。なおかつ、テーブル本体１１は、上述した水平姿勢の使用位置に倒し込まれた状態では、上述した倒し込みによってスライド部材１３のスリット１３Ｂ１内に入り込んだ張出し片１１Ａ１が、スリット１３Ｂ１内を前後方向にスライドすることができる範囲内において、前後方向にスライドすることができるようになっている。上記張出し片１１Ａ１は、テーブル本体１１（第１テーブル板１１Ａ）の後端部領域に部分的に張り出した形となって形成されていることから、テーブル本体１１を水平姿勢の使用位置に落とし込んだ状態から、テーブル本体１１の使用位置を前方側に広い範囲に亘って調整できるようにするようになっている。
【００３８】
このように、本実施例のテーブル１０は、物載せとなるテーブル本体１１と、テーブル本体１１をシート１の横隣に設けられた支持台４に対して動かせる状態に連結するテーブル移動装置１０Ｍと、を有する構成となっている。テーブル移動装置１０Ｍは、上下スライド機構１０Ｍ１と、回転機構１０Ｍ２と、を有する。上下スライド機構１０Ｍ１は、テーブル本体１１を支持台４に対して高さ方向にスライドさせられる状態に連結し、テーブル本体１１を支持台４に形成された凹部４Ａの内外にスライドさせられるようにする。回転機構１０Ｍ２は、テーブル本体１１を上下スライド機構１０Ｍ１の高さ方向にスライドするスライド部材１３に対して前後方向を軸方向とする回転軸１４まわりに起倒回転させられる状態に連結し、テーブル本体１１を凹部４Ａ内に収納可能な起立位置と物載せとして使用可能な水平位置との間で回転させられるようにする。テーブル本体１１が回転軸１４に対して軸方向にスライド可能な状態に連結されていることにより、テーブル本体１１を水平位置に展開した状態で前後方向に位置調整することのできる調整機構１０Ｍ３が構成されている。
【００３９】
このように、回転機構１０Ｍ２の構成の一部を前後スライド可能な構成とすることにより、回転機構１０Ｍ２の構成を用いてテーブル本体１１の前後位置を調整可能な調整機構１０Ｍ３を構成することができる。このように、テーブル１０を展開収納する構成を利用して、テーブル本体１１の使用位置の調整を行えるようにする機構を少ない部品点数で構成することができる。
【００４０】
また、凹部４Ａが支持台４のシート幅方向の内側の壁部に形成されてテーブル本体１１をシート幅方向にテーブル面を向けさせて露出させた状態にして収納する構成となっている。このような構成となっていることにより、テーブル本体１１を支持台４の両壁部の間に収める構成とならなくなるため、テーブル１０を支持台４に対して嵩張らせない状態に収納することができる。
【００４１】
また、回転機構１０Ｍ２によるテーブル本体１１の水平位置への倒れ込み回転は、テーブル本体１１と一体的に回転する部材に設けられた張出し片１１Ａ１がスライド部材１３に設けられたストッパ片１３Ｃに当たることで係止されると共に、張出し片１１Ａ１が支持台４に形成された係止溝４Ａ１内に入り込むことにより落下移動が規制された状態に保持されるようになっている。調整機構１０Ｍ３によるテーブル本体１１の前後方向の位置調整移動は、張出し片１１Ａ１がストッパ片１３Ｃ及び係止溝４Ａ１に対して前後方向に摺動できるようになっていることによりテーブル本体１１が水平姿勢に保たれて行われるようになっている。このような構成となっていることにより、テーブル本体１１を水平姿勢に保った状態で前後方向に位置調整させられるようにする機構（調整機構１０Ｍ３）を簡単に構成することができる。
【００４２】
以上、本発明の実施形態を１つの実施例を用いて説明したが、本発明は上記実施例のほか各種の形態で実施することができるものである。例えば、本発明の乗物用テーブルは、鉄道等の自動車以外の車両や、航空機、船舶等の他の乗物用に供されるものであってもよい。
【００４３】
また、支持台に形成される凹部は、支持台のシート外側の壁部等の、シート内側の壁部以外の箇所に形成されたものであってもよい。また、回転機構は、テーブル本体をスライド部材に対して回転可能に連結する回転軸が、テーブル本体に一体的に結合され、スライド部材に回転可能かつ軸方向にスライド可能となる状態に連結された構成からなるものであってもよい。このような構成であっても、テーブル本体を水平姿勢の使用位置に展開した状態から、テーブル本体を回転軸と一体的にスライド部材に対して軸方向（前後方向）に位置調整可能な構成とすることができる。
【００４４】
また、テーブル本体から張り出す張出し片が、回転軸に対して回転可能かつ軸方向にスライド可能な状態に連結される構成において、上記実施例１では、張出し片がテーブル本体の前後方向の後端部領域から張り出すことで、テーブル本体を水平姿勢の使用位置に展開したところから前方側に広く移動させられるようになっている構成を例示した。しかし、上記張出し片は、テーブル本体の前後方向の中間部領域や前端部領域から張り出すように形成されていてもよい。張出し片がテーブル本体の中間部領域から張り出す場合には、テーブル本体を水平姿勢の使用位置に展開させたところから前後方向に位置調整を行うことが可能となる。また、張出し片がテーブル本体の前端部領域から張り出す場合には、テーブル本体を水平姿勢の使用位置に展開させたところから後方側に広く移動させることが可能となる。
【符号の説明】
【００４５】
１      シート
２      シートバック
３      シートクッション
４      支持台
４Ａ    凹部
４Ａ１  係止溝
４Ｂ    上下レール
４Ｂ１  レール溝
４Ｂ２  張出し面部
４Ｂ４  天板面
４Ｃ    開口部
５      アームレスト
１０    テーブル
１０Ｍ  テーブル移動装置
１０Ｍ１  上下スライド機構
１０Ｍ２  回転機構
１０Ｍ３  調整機構
１１    テーブル本体
１１Ａ  第１テーブル板
１１Ａ１  張出し片
１１Ｂ  第２テーブル板
１１Ｃ  カバー部材
１１Ｃ１  取っ手
１３    スライド部材
１３Ａ  嵌合部
１３Ｂ  架橋部
１３Ｂ１  スリット
１３Ｃ  ストッパ片
１４    回転軸
【図１】
2016000544.tif 000003
【図２】
2016000544.tif 000004
【図３】
2016000544.tif 000005
【図４】
2016000544.tif 000006
【図５】
2016000544.tif 000007
【図６】
2016000544.tif 000008
【図７】
2016000544.tif 000009
【図８】
2016000544.tif 000010
【図９】
2016000544.tif 000011
【図１０】
2016000544.tif 000012
【図１１】
2016000544.tif 000013
【図１２】
2016000544.tif 000014
【図１３】
2016000544.tif 000015
【図１４】
2016000544.tif 000016
【図１５】
2016000544.tif 000017
【図１６】
2016000544.tif 000018
【図１７】
2016000544.tif 000019
【図１８】
2016000544.tif 000020